(57)【要約】【課題】幼い子供であっても簡単に発呼操作や受話操作を行うことを可能にする移動電話端末を実現する。【解決手段】移動電話端末は、制御部と、音声入出力部と、制御部及び音声入出力部に接続された音声符号化／復号化部と、制御部及び音声符号化／復号化部に接続された無線通信回路と、無線通信回路に接続されたアンテナと、制御部に接続され、移動電話端末内の異なる位置にそれぞれ配置された１つ又は複数の第１の感圧センサーとを具備する。当該携帯電話端末はさらに、１つ又は複数の電話番号を記憶するとともに１つ又は複数の電話番号の各々と前記１つ又は複数の第１の感圧センサーの各々との対応関係を記憶する記憶部を具備する。制御部は、第１の感圧センサーの１つに加えられる圧力が第１の閾値に達したことに応答して、該第１の感圧センサーと対応づけられている電話番号宛に発呼を行う。【選択図】図５
2008263372.tif 000002
【特許請求の範囲】
【請求項１】
玩具型の移動電話端末であって、
制御部と、
音声入出力部と、
前記制御部及び前記音声入出力部に接続された音声符号化／復号化部と、
前記制御部及び前記音声符号化／復号化部に接続された無線通信回路と、
前記無線通信回路に接続されたアンテナと、
前記制御部に接続され、前記移動電話端末内の異なる位置にそれぞれ配置された１つ又は複数の第１の感圧センサーと、
１つ又は複数の電話番号を記憶し、前記１つ又は複数の電話番号の各々と前記１つ又は複数の第１の感圧センサーの各々との対応関係を記憶する記憶部と
を具備し、
前記制御部は、第１の感圧センサーの１つに加えられる圧力が第１の閾値に達したことに応答して、前記記憶部において該第１の感圧センサーと対応づけられている電話番号宛に発呼を行う、玩具型移動電話端末。
【請求項２】
前記制御部に接続された第２の感圧センサーをさらに具備し、
前記制御部は、着呼時に前記第２の感圧センサーに加えられる圧力が第２の閾値に達したことに応答して通話を開始する請求項１に記載の玩具型移動電話端末。
【請求項３】
前記制御部は、通話中に、前記第１の感圧センサーに加えられる圧力が前記第１の閾値を下回ったことに応答して通話を切断する請求項１に記載の玩具型移動電話端末。
【請求項４】
前記制御部に接続されたバイブレータをさらに具備し、前記制御部は、着呼時に前記バイブレータを動作させることにより前記移動電話端末の一部を動かす請求項１に記載の玩具型移動電話端末。
【請求項５】
前記制御部は、着呼を検出した後所定時間後に通話を開始する請求項１に記載の玩具型移動電話端末。
【請求項６】
アンテナ及び無線通信回路を有する無線通信モジュールと着脱可能に接続され、前記無線通信モジュールとともに移動電話端末として動作する玩具型装置であって、
制御部と、
音声入出力部と、
前記制御部及び前記音声入出力部に接続された音声符号化／復号化部と、
前記制御部及び前記音声符号化／復号化部に接続され、前記無線通信モジュールとの間で符号化された音声信号を送受信するためのインターフェース部と、
前記制御部に接続され、前記装置内の異なる位置にそれぞれ配置された１つ又は複数の第１の感圧センサーと、
前記無線通信モジュール内に記憶された１つ又は複数の電話番号の各々と前記１つ又は複数の第１の感圧センサーの各々との対応関係を記憶する記憶部と
を具備し、
前記制御部は、第１の感圧センサーの１つに加えられる圧力が第１の閾値に達したことに応答して、該第１の感圧センサーと対応づけられている電話番号宛に発呼を行うよう前記無線通信モジュールに指示する、玩具型装置。
【請求項７】
前記制御部に接続された第２の感圧センサーをさらに具備し、
前記制御部は、着呼時に前記第２の感圧センサーに加えられる圧力が第２の閾値に達したことに応答して、通話を開始するよう前記無線通信モジュールに指示する請求項６に記載の玩具型装置。
【請求項８】
前記制御部は、通話中に、前記第１の感圧センサーに加えられる圧力が前記第１の閾値を下回ったことに応答して、通話を切断するよう前記無線通信モジュールに指示する請求項６に記載の玩具型装置。
【請求項９】
前記制御部に接続されたバイブレータをさらに具備し、前記制御部は、着呼時に前記バイブレータを動作させることにより前記玩具型装置の一部を動かす請求項６に記載の玩具型装置。
【請求項１０】
前記制御部は、着呼を検出した後所定時間後に、通話を開始するよう前記無線通信モジュールに指示する請求項６に記載の玩具型装置。
【発明の詳細な説明】
【技術分野】
【０００１】
本発明は移動電話端末に関し、より詳細には、幼い子供でも簡単に発呼及び受話が可能な玩具型の移動電話端末に関する。
【背景技術】
【０００２】
ＰＨＳ（Ｐｅｒｓｏｎａｌ  Ｈａｎｄｙｐｈｏｎｅ  Ｓｙｓｔｅｍ）端末や携帯電話端末等の移動電話端末は世の中に広く普及している。このような移動電話端末は場所を選ばず電話をかけることが可能である点で便利である。
【０００３】
しかしながら、従来の移動電話端末の操作は幼い子供にとって複雑である。移動電話端末を使用して電話をかけるためには、相手方の端末の電話番号を入力したり、移動電話端末の記憶部に格納された電話帳から所望の電話番号を選択したりする必要がある。発呼操作の簡略化のために短縮ダイヤルを設定している場合であっても、予め設定されている複数の短縮ダイヤルのうち所望の相手方に対応した短縮ダイヤルを入力しなければならない。また、受話の際には、移動電話端末の表示部に表示される電話番号を確認して、電話に出る必要があると判断した場合にのみ受話キーを押下するという操作が必要である。
【０００４】
これらの操作は、電子機器の扱いに慣れておらず、文字や数字の読み取りが十分にできない幼い子供にとって複雑な作業である。これらの操作を誤りなく行えるように幼い子供を訓練することは容易ではない。したがって、幼い子供が従来の携帯電話端末を用いて親と会話することは困難である。
【０００５】
一方、児童の外出時に児童の安否確認を行うために使用する情報端末が提案されている（例えば、特許文献１参照）。特許文献１の情報端末は、現在地に関するデータを取得する位置検出機能と、保護者用端末から受信したデータに応答して予め記憶された保護者の音声にてメッセージを出力するメッセージ出力機能とを有する。当該情報端末は携帯型の玩具に内蔵されている。保護者用端末からの要求パケットが情報端末に送られると、情報端末は、この要求パケットに基づいて現在地に関するデータを取得する。これにより保護者から離れた児童の居場所が確認される。また、要求パケットに基づいて、情報端末は、端末自身に予め格納されている保護者の音声メッセージを出力する。これにより、例えば児童を外出先から呼び戻すことが可能となる。このような端末は、従来の移動電話端末と比較して、児童による操作を特段必要としないという特徴を有する。
【０００６】
しかし、特許文献１の情報端末は電話機能を持たない。したがって、このような情報端末を使用しても、幼い子供は離れた場所にいる親と直接会話することができない。
【特許文献１】特開２００３−１６８１９４号公報
【発明の開示】
【発明が解決しようとする課題】
【０００７】
本発明は、幼い子供であっても簡単に発呼操作や受話操作を行うことを可能にする移動電話端末を実現することを目的としている。
【課題を解決するための手段】
【０００８】
本発明の玩具型携帯電話端末は、制御部と、音声入出力部と、制御部及び音声入出力部に接続された音声符号化／復号化部と、制御部及び音声符号化／復号化部に接続された無線通信回路と、無線通信回路に接続されたアンテナと、制御部に接続され、移動電話端末内の異なる位置にそれぞれ配置された１つ又は複数の第１の感圧センサーとを具備する。当該携帯電話端末はさらに、１つ又は複数の電話番号を記憶するとともに１つ又は複数の電話番号の各々と前記１つ又は複数の第１の感圧センサーの各々との対応関係を記憶する記憶部を具備する。そして、制御部は、第１の感圧センサーの１つに加えられる圧力が第１の閾値に達したことに応答して、記憶部において該第１の感圧センサーと対応づけられている電話番号宛に発呼を行う。
【０００９】
移動電話端末は、制御部に接続された第２の感圧センサーをさらに具備してもよい。当該構成において、制御部は、着呼時に第２の感圧センサーに加えられる圧力が第２の閾値に達したことに応答して通話を開始する。
【００１０】
制御部は、通話中に、第１の感圧センサーに加えられる圧力が第１の閾値を下回ったことに応答して通話を切断するように構成してもよい。
【００１１】
また、本発明の移動電話端末は、制御部に接続されたバイブレータをさらに具備してもよい。当該構成において、制御部は、着呼時にバイブレータを動作させることにより移動電話端末の一部を動かす。
【００１２】
制御部は、着呼を検出した後所定時間後に通話を開始するように構成してもよい。
【００１３】
また、本発明の移動電話端末は、アンテナ及び無線通信回路を有する無線通信モジュールと、当該無線通信モジュールと着脱可能に接続され、無線通信モジュールとともに移動電話端末として動作する玩具型装置とから構成されてもよい。このような構成において、本発明の玩具型装置は、制御部と、音声入出力部と、制御部及び音声入出力部に接続された音声符号化／復号化部と、制御部及び音声符号化／復号化部に接続され、無線通信モジュールとの間で符号化された音声信号を送受信するためのインターフェース部とを具備する。当該玩具型装置はさらに、制御部に接続され、上記装置内の異なる位置にそれぞれ配置された１つ又は複数の第１の感圧センサーと、無線通信モジュール内に記憶された１つ又は複数の電話番号の各々と１つ又は複数の第１の感圧センサーの各々との対応関係を記憶する記憶部とを具備する。そして、制御部は、第１の感圧センサーの１つに加えられる圧力が第１の閾値に達したことに応答して、該第１の感圧センサーと対応づけられている電話番号宛に発呼を行うよう前記無線通信モジュールに指示する。
【００１４】
本発明の玩具型装置は、制御部に接続された第２の感圧センサーをさらに具備してもよい。当該構成において、制御部は、着呼時に第２の感圧センサーに加えられる圧力が第２の閾値に達したことに応答して、通話を開始するよう無線通信モジュールに指示する。
【００１５】
制御部は、通話中に、第１の感圧センサーに加えられる圧力が第１の閾値を下回ったことに応答して、通話を切断するよう無線通信モジュールに指示してもよい。
【００１６】
また、本発明の玩具型装置は、制御部に接続されたバイブレータをさらに具備してもよい。当該構成において、制御部は、着呼時にバイブレータを動作させることにより玩具型装置の一部を動かす。
【００１７】
制御部は、着呼を検出した後所定時間後に、通話を開始するよう無線通信モジュールに指示してもよい。
【発明の効果】
【００１８】
本発明によれば、幼い子供であっても簡単に発呼操作や受話操作を行うことを可能にする移動電話端末を実現することができる。
【発明を実施するための最良の形態】
【００１９】
本発明の移動電話端末１の外観を図１に示す。移動電話端末１は、従来の移動通信端末内に組み込まれていた無線通信部分を別個の小型モジュールとして独立させた後述する無線通信モジュール２００と、このモジュールを挿入するためのスロット１０１を有する本体部１００とから構成される。図１において、本体部１００はくまのぬいぐるみの形状を有するが、本発明はこれに限定されるものではない。本体部１００は、幼い子供が日頃から手にとって遊ぶ様々な玩具を利用して構成されるような玩具型装置として構成することが可能である。本体部（本体装置、玩具型装置）１００の所定の部位、例えば、図１におけるぬいぐるみの右手１０２、左手１０４、右足１０６、左足１０８及び耳１１０には感圧センサーが内蔵されている。また、耳１１０にはバイブレータを内蔵してもよい。本体部１００はさらに、通話の際に使用する音声入出力部としてマイク及びスピーカを具備している。詳細な動作は後述するが、移動電話端末１は、例えば、子供がぬいぐるみの手を握ると発呼操作を行う。また、着呼があるとバイブレータにより耳が振動し、この耳１１０を子供が握ると受話が可能となる。
【００２０】
本体部１００に無線通信モジュール２００が挿入された状態の内部構造を示すブロック図を図２に示す。本体部１００は、ＰＣＭコーデック等の音声符号化／復号化部１１２、音声符号化／復号化部１１２に接続されて音声入出力部として機能するマイク１１４及びスピーカ１１６等の音声入出力部、本体制御部１１８、本体制御部１１８に接続されて発呼指示を行うための１つ又は複数の感圧センサー１２０１〜１２０Ｎ、本体制御部１１８に接続されて受話指示を行うための受話用感圧センサー１２１、本体制御部１１８に接続されたバイブレータ１２２、電源１２４、及び本体制御部１１８に接続または内蔵される記憶部１３０を具備する。本体制御部１１８はタイマー１２６を具備してもよい。
【００２１】
無線通信モジュール２００は、従来の移動通信端末内に組み込まれていた無線通信機能を別個の小型モジュールとして独立させたものである。本体部１００は、無線通信モジュール２００を接続するためのインターフェース１２８を、図１に示すスロット１０１の内部に具備している。無線通信モジュール２００もまた、本体部１００のインターフェース部１２８と接続するためのインターフェース部２２８を具備している。無線通信モジュール２００をスロット１０１に挿入して、無線通信モジュール２００のインターフェース部２２８を本体部１００のインターフェース部１２８に接続することにより、本体部１００と無線通信モジュール２００とは全体として移動通信端末１として機能する。無線通信モジュール２００は、無線信号の送受信を行うためのアンテナ２０２、アンテナ２０２に接続されたアンテナ・スイッチ２０４、アンテナ・スイッチ２０４に接続された送信部２０６及び受信部２０８、変調部２１０及び復調部２１２、時分割多元接続（ＴＤＭＡ）符号化部２１４及びＴＤＭＡ復号化部２１６、ＡＤＰＣＭトランスコーダ等の音声用トランスコーダ２１８、モジュール制御部２２０、ＲＯＭ２２２、ＲＡＭ２２４、電源２２６及びインターフェース部２２８を具備する。アンテナ・スイッチ２０４、送信部２０６及び受信部２０８、変調部２１０及び復調部２１２、ＴＤＭＡ符号化部２１４及びＴＤＭＡ復号化部２１６は、無線通信モジュール２００の無線通信機能に関わる無線通信回路を構成する。無線通信モジュール２００は、例えばＲＯＭ２２２に電話帳データを格納することができるなど、汎用性のある多機能通信モジュールである。また、ＲＯＭ２２２は無線通信モジュール２００の電話番号や端末機器番号等が格納されている。
【００２２】
無線通信モジュール２００を本体部１００に接続して音声通信を行う場合の移動電話端末１の動作は以下のようになる。
【００２３】
無線通信モジュール２００のＲＯＭ２２２は電話帳データを格納している。本体制御部１１８は、記憶部１３０において、ＲＯＭ２２２に格納されている電話番号と、本体部１００の各々の感圧センサー１２０１〜１２０Ｎとの対応関係を記憶している。例えば、記憶部１３０は、図３に示すように、ＲＯＭ２２２内で電話番号データを格納するメモリアドレスのうちの所定のメモリアドレスと、本体部１００の所定の部位に内蔵された感圧センサー１２０１〜１２０Ｎとを関連付けて記憶している。また、この構成に代えて、本体制御部１１８は、ＲＯＭ２２２に格納されている電話番号の一部を予め記憶部１３０に取り込むように構成されてもよい。この場合、記憶部１３０は、取り込まれた電話番号の各々と、本体部１００の所定の部位に内蔵された感圧センサー１２０１〜１２０Ｎの各々とを直接関連付けて記憶する。
【００２４】
以下、本体制御部１１８がＲＯＭ２２２のメモリアドレス１をぬいぐるみの右手１０２に内蔵された第１の感圧センサー１２０１と関連付けて記憶しており、ＲＯＭ２２２のメモリアドレス１に母親の移動電話端末の電話番号が格納されていると仮定する。
【００２５】
自宅で留守番をしている子供は、外出中の母親と話したい場合、ぬいぐるみの右手１０２を握る。右手１０２に内蔵されている感圧センサー１２０１に加わる圧力が所定の閾値に達すると、本体制御部１１８はこれを検出し、モジュール制御部２２０に対して、ＲＯＭ２２２のメモリアドレス１の電話番号に対して発呼するよう指示する。一方、記憶部１３０が上述のように電話番号と感圧センサー１２０１〜１２０Ｎの各々とを直接関連付けて記憶している場合においては、本体制御部１１８は、感圧センサー１２０１に対応する電話番号宛に発呼するようモジュール制御部２２０に指示する。これにより、母親の端末への発呼が行われる。本体制御部１１８は、発呼をより確実に行うようにするため、感圧センサー１２０１に加わる圧力が閾値に達した場合に所定の音をスピーカ１１６から発して、握っている力が十分な大きさとなったことを子供に伝えてもよい。
【００２６】
母親が電話に出ると、子供はマイク１１４及びスピーカ１１６を介して会話を行う。子供の音声はマイク１１４を介してＰＣＭコーデック等の音声符号化／復号化部１１２へ入力されてパルス符号変調される。ここで、本体部１００のインターフェース部１２８及び無線通信モジュール２００のインターフェース部２２８は、音声信号の送受信用に使用されるピンと制御信号等のデータ信号の送受信用に使用されるピンとを有している。そして、音声符号化／復号化部１１２により符号化された音声信号は当該音声用のピンを介して無線通信モジュール２００内のＡＤＰＣＭトランスコーダ等の音声用トランスコーダ２１８へ入力される。音声用トランスコーダ２１８の出力信号は、ＴＤＭＡ符号化部２１４において時分割多元接続（ＴＤＭＡ）用ベースバンド信号に符号変換され、さらに変調部２１０、送信部２０６、アンテナ・スイッチ２０４及びアンテナ２０２を介して無線伝送される。
【００２７】
また、本体制御部１１８とモジュール制御部２２０との間で発呼指示等のためにやり取りされる制御信号等のデータ信号は、インターフェース部１２８及び２２８のデータ信号用のピンを介して送受信される。
【００２８】
一方、アンテナ１０２により受信された信号は、アンテナ・スイッチ２０４により受信部２０８へ入力される。この受信信号（例えば、１．９ＧＨｚ帯）は、受信部２０８において増幅されて周波数変換され、ついで復調部２１２でＴＤＭＡベースバンド信号に復調された後、ＴＤＭＡ復号化部２１６により復号化される。ＴＤＭＡ復号化部２１６から出力された音声信号は音声用トランスコーダ２１８へ入力されてＰＣＭ音声信号へ変換される。ＰＣＭ音声信号は、さらにインターフェース部２２８及び１２８の音声信号用のピンを介して本体部１００側の音声符号化／復号化部１１２に入力され、アナログ信号に変換されてスピーカ１１６を介して出力される。
【００２９】
感圧センサーに加わる圧力の大きさと移動電話端末１の動作のタイミングとの関係の一例を図４に示す。感圧センサー１２０１に加えられる圧力が所定の閾値に達すると発呼が開始される。移動電話端末１は、閾値に達した際にスピーカ１１６を通じて特定の音を発することにより、子供にその旨を通知してもよい。相手方端末（ここでは母親の端末）との通話設定後、当該圧力が閾値以上である限り通話は続行される。当該圧力が閾値を下回ると、本体制御部１１８は、通話を切断するようモジュール制御部２２０に指示する。本発明においてこのような構成を採用すれば、「母親と話したい場合にはぬいぐるみの右手を握り続けていればよい」ことを子供に教え込んでおくだけでよい。したがって、本発明によれば、玩具の所定部位をつかむという１アクションでの発呼が可能であるので、従来の端末と比較して、幼い子供にとってより操作しやすい移動電話端末を実現することができる。
【００３０】
また、別の構成として、移動電話端末１側からの通話切断を行わないようにしてもよい。この場合にも、感圧センサー１２０１に加えられた力がいったん閾値を越えると、母親の端末への発呼が開始される。しかし、上記の構成と異なり、発呼開始後に子供がぬいぐるみの手から手を離しても、発呼動作が続行され、母親が電話に出れば通話が開始される。同様に、感圧センサー１２０１に加えられた力が通話中に閾値を下回っても、本体制御部１１８は通話切断の指示をしない。したがって、母親端末側から通話を切断することになる。本発明においてこのような構成を採用すれば、子供が通話中にぬいぐるみの手を握り続ける必要がないため、不意の通話切断が起こらなくなる。
【００３１】
上述の実施例において、本体制御部１１８は、さらにＲＯＭ２２２のメモリアドレス２、３及び４と本体部１００の左手１０４、右足１０６及び左足１０８にそれぞれ内蔵される感圧センサー１２０２、１２０３及び１２０４とを関連付けて記憶してもよい。無線通信モジュールのＲＯＭ２２２のメモリアドレス２、３及び４にそれぞれ父親の電話番号、祖母の電話番号及び祖父の電話番号を予め格納しておけば、母親以外のこれらの人々に容易に電話をかけることができる。また、このような構成に代えて、本体制御部１１８は、ＲＯＭ２２２に格納されている父親、祖母及び祖父の電話番号を予め記憶部１３０に取り込んでもよい。この場合、記憶部１３０は、これら電話番号の各々を、左手１０４、右足１０６及び左足１０８にそれぞれ内蔵される感圧センサー１２０２、１２０３及び１２０４の各々と直接関連付けて記憶する。
【００３２】
本発明の移動電話端末１にかかってきた電話を子供が受ける場合の動作は以下のようになる。本体部１００の所定部位にはバイブレータが内蔵されている。本体部１００が図１のようにくまのぬいぐるみの形状を有する場合、バイブレータ１２２が例えば耳１１０に内蔵されている。バイブレータ１２２は本体制御部１１８に接続されている。無線通信モジュール２００の電話番号宛に着呼があった場合、本体制御部１１８は、バイブレータ１２２に制御信号を送って振動させ、これにより耳１１０を動かす。耳１１０には、バイブレータ１２２のほか、感圧センサー（以下、受話用感圧センサー１２１という。）が内蔵されている。子供が動いている耳１１０に気付いてこれを握り、受話用感圧センサー１２１に加わる圧力が所定の閾値に達すると、本体制御部１１８はこれを検出して、モジュール制御部２２０に制御信号を送信して発呼者端末との間で通話接続を行う。これにより、発呼者は子供と会話することができる。本発明においてこのような構成を採用すれば、「耳が動いた場合には耳を握ればよい」ことを子供に教え込んでおくだけでよい。したがって、本発明によれば、従来の端末と比較して、幼い子供にとって操作しやすい移動電話端末を実現することができる。
【００３３】
子供が耳１１０を握り続け、受話用感圧センサー１２１に加わる圧力が閾値以上である限り、本体制御部１１８が通話切断の指示を送らないようにしてもよい。また、別の構成として、既に述べたように移動電話端末１側からの通話切断を一切行わないようにしてもよい。
【００３４】
また、別の構成として、本体制御部１１８は、タイマー１２６を用いて、着呼を検出した後所定時間後（例えば、３秒後）にモジュール制御部２２０に制御信号を送信して発呼者端末との間で通話接続を行うよう指示してもよい。このような構成を採用すれば、子供が耳をつかまなかったり、あるいは受話用感圧センサー１２１に加わる力が所定値に達しなかった場合でも、通話が可能となる。
【００３５】
さらに別の構成として、本体制御部１１８は、本体１００に内蔵された感圧センサー１２０１〜１２０Ｎと関連付けられている電話番号以外の電話番号からの着呼を拒否するように構成してもよい。例えば、本体制御部１１８は、発呼者の電話番号を検出すると、検出された電話番号を、記憶部１３０において本体部１００の感圧センサー１２０１〜１２０Ｎのいずれかと関連付けられているＲＯＭ２２２の各メモリアドレスに格納されている電話番号と比較する。もしくは、記憶部１３０が上述のように電話番号と感圧センサー１２０１〜１２０Ｎの各々とを直接関連付けて記憶している場合には、本体制御部１１８は、検出された電話番号を、記憶部１３０において感圧センサー１２０１〜１２０Ｎのいずれかと関連付けて記憶されている電話番号と比較する。発呼者の電話番号が、各感圧センサーと関連付けられた電話番号のいずれにも該当しない場合、本体制御部１１８は、モジュール制御部２２０に対して当該着呼を拒否するよう指示する。このような構成により、子供が悪質ないたずら電話等に応答することを回避できる。
【００３６】
上述の実施例のほか、本発明の移動電話端末は、無線通信機能が独立していない構成の端末としても実施することができる。このような本発明の移動電話端末２の構成を図５に示す。移動電話端末２は、アンテナ５０２、無線通信回路５０４、ＡＤＰＣＭトランスコーダ等の音声用トランスコーダ５０６、ＰＣＭコーデック等の音声符号化／復号化部５０８、制御部５１０、マイク５１２及びスピーカ５１４等の音声入出力部、感圧センサー５１６１〜５１６Ｎ、受話用感圧センサー５１８、バイブレータ５２０、電源５２２及び記憶部５２４を具備する。制御部５１０はタイマー５２６を具備してもよい。無線通信回路５０４は、図２のアンテナ・スイッチ２０４、送信部２０６及び受信部２０８、変調部２１０及び復調部２１２、及びＴＤＭＡ符号化部２１４及びＴＤＭＡ復号化部２１６に相当する。
【００３７】
移動電話端末２の記憶部５２４は、移動通信端末３の電話番号や端末番号等の固有情報及び電話帳データを記憶している。さらに、記憶部５２４は、当該電話帳データ内の各々の電話番号と、移動電話端末２の所定の部位に内蔵された各々の感圧センサーとを関連付け、その対応関係を記憶している。例えば、記憶部５２４は、記憶部５２４内の電話番号を記憶したメモリアドレスの番号と、移動電話端末２の所定の部位に内蔵された各々の感圧センサーとを関連付け、その対応関係を記憶している。
【００３８】
図５に示す移動電話端末２が図２に示す移動電話端末１と同様に動作し、既に述べた本願発明の効果を奏することは当業者に明らかである。
【００３９】
以下、移動電話端末２が図１と同様のぬいぐるみの外観を有し、記憶部５２４において、メモリアドレス１をぬいぐるみの右手１０２に内蔵された第１の感圧センサー１２０１と関連付けて記憶しており、記憶部５２４のメモリアドレス１に母親の移動電話端末の電話番号が格納されていると仮定する。
【００４０】
子供がぬいぐるみの右手１０２を握り、内蔵されている感圧センサー５１６１に加わる圧力が所定の閾値に達すると、制御部５１０はこれを検出し、メモリアドレス１の電話番号に対して発呼する。制御部５１０は、発呼をより確実に行うようにするため、感圧センサー５１６１に加わる圧力が閾値に達した場合に所定の音をスピーカ５１４から発して、握っている力が十分な大きさとなったことを子供に伝えてもよい。
【００４１】
母親が電話に出ると、子供はマイク５１２及びスピーカ５１４を介して会話を行う。子供の音声は音声符号化／復号化部５０８においてパルス符号変調される。符号化された音声信号は音声用トランスコーダ５０６入力される。音声用トランスコーダ５０６の出力信号は無線通信回路５０４及びアンテナ５０２を介して無線伝送される。
【００４２】
一方、アンテナ５０２により受信された信号は、無線通信回路５０４及び音声用トランスコーダ５０６を介して音声符号化／復号化部５０８に入力され、アナログ信号に変換されてスピーカ５１４を介して出力される。
【００４３】
感圧センサー５１６１に加えられる圧力が所定の閾値に達すると発呼が開始される。移動電話端末２は、閾値に達した際にスピーカ５１４を通じて特定の音を発することにより、子供にその旨を通知してもよい。母親の端末との通話設定後、当該圧力が閾値以上である限り通話は続行される。当該圧力が閾値を下回ると、制御部５１０は通話を切断する。
【００４４】
また、別の構成として、移動電話端末２側からの通話切断を行わないようにしてもよい。この場合にも、感圧センサー５１６１に加えられた力がいったん閾値を越えると、母親の端末への発呼が開始される。しかし、上記の構成と異なり、発呼開始後に子供がぬいぐるみの手から手を離しても、発呼動作が続行され、母親が電話に出れば通話が開始される。同様に、感圧センサー５１６１に加えられた力が通話中に閾値を下回っても、制御部５１０は通話を切断しない。したがって、母親端末側から通話を切断することになる。本発明においてこのような構成を採用すれば、子供が通話中にぬいぐるみの手を握り続ける必要がないため、不意の通話切断が起こらなくなる。
【００４５】
制御部５１０は、さらに記憶部５２４のメモリアドレス２、３及び４とぬいぐるみの左手１０４、右足１０６及び左足１０８にそれぞれ内蔵される感圧センサー５１６２、５１６３及び５１６４とを関連付けて記憶してもよい。記憶部５２４メモリアドレス２、３及び４にそれぞれ父親の電話番号、祖母の電話番号及び祖父の電話番号を予め格納しておけば、母親以外のこれらの人々に容易に電話をかけることができる。
【００４６】
本発明の移動電話端末２にかかってきた電話を子供が受ける場合の動作は以下のようになる。移動電話端末２の所定部位にはバイブレータが内蔵されている。移動電話端末２が図１のようにくまのぬいぐるみの形状を有する場合、バイブレータ５２０が例えば耳１１０に内蔵されている。バイブレータ５２０は制御部５１０に接続されている。着呼があった場合、制御部５１０は、バイブレータ５２０に制御信号を送って振動させ、これにより耳１１０を動かす。耳１１０には、バイブレータ５２０のほか、受話用感圧センサー５１８が内蔵されている。子供が動いている耳１１０に気付いてこれを握り、受話用感圧センサー５１８に加わる圧力が所定の閾値に達すると、制御部５１８はこれを検出して、発呼者端末との間で通話接続を行う。
【００４７】
子供が耳１１０を握り続け、受話用感圧センサー１２１に加わる圧力が閾値以上である限り、制御部５１０が通話を切断しないように構成してもよい。また、別の構成として、既に述べたように移動電話端末２側からの通話切断を行わないようにしてもよい。
【００４８】
また、制御部５１０は、タイマー５２６を用いて、着呼を検出した後所定時間後（例えば、３秒後）に発呼者端末との間で通話接続を行ってもよい。これにより、子供が耳をつかまなかったり、あるいは受話用感圧センサー５１８に加わる力が所定値に達しなかった場合でも、通話が可能となる。
【００４９】
さらに、制御部５１０は、感圧センサー５１６１〜５１６Ｎと関連付けられている電話番号以外の電話番号からの着呼を拒否するように構成してもよい。例えば、制御部５１０は、発呼者の電話番号を検出すると、検出された電話番号を、記憶部５２４において感圧センサー５１６１〜５１６Ｎのいずれかと関連付けられている各メモリアドレスに格納されている電話番号と比較する。発呼者の電話番号が、各感圧センサーと関連付けられた各メモリアドレスに格納されている電話番号のいずれにも該当しない場合、制御部５１０は当該着呼を拒否する。
【００５０】
以上の各実施例において、本発明の移動電話端末は図１に示すようなぬいぐるみの外観を有するものとして説明された。しかし、本発明はこのような実施例に限定されない。子供が日常的に接し、子供がつかんだり握ったりすることが可能な部位を有する様々な玩具を本願発明に利用できることは当業者にとって明らかである。
【図面の簡単な説明】
【００５１】
【図１】本発明の移動電話端末の外観を示す図である。
【図２】本発明の移動電話端末において、本体部に無線通信モジュールが挿入された状態の内部構造を示すブロック図である。
【図３】本体制御部に記憶された、所定のメモリアドレスの番号と所定の部位に内蔵された感圧センサーとの関連付けの一例を示す図である。
【図４】感圧センサーに加わる圧力の大きさと移動電話端末の動作のタイミングとの関係の一例を示す図である。
【図５】本発明の移動電話端末の別の構成を示すブロック図である。
【図１】
2008263372.tif 000003
【図２】
2008263372.tif 000004
【図３】
2008263372.tif 000005
【図４】
2008263372.tif 000006
【図５】
2008263372.tif 000007